(57)【要約】【課題】光を十分にグリル庫内に照射して、グリル庫内の状態を確実に視認することが可能なグリルおよびグリル付きコンロを提供する。【解決手段】発光部３０と、発光部で発生させた光をグリル庫Ｇ１内に導くための導光体４０を備え、導光体は、光が入射する入射面と、入射した光をグリル庫の奥行き方向と略直交する所定方向に反射させる第１反射面と、第１反射面で反射させた光をグリル庫の奥側に向かって反射させる第２反射面と、第２反射面で反射させた光を出射する出射面とを備え、発光部は、グリル扉Ｇ２の外側の所定の位置に、発光部で発生した光が、グリル庫の奥行き方向と略直交する方向から導光体の入射面に入射する態様で配設されており、導光体が、入射面から入射した光を、第１反射面および第２反射面で反射させ出射面からグリル庫の奥側に向かって出射させるように構成する。【選択図】図４
2020030017.tif 000002
【特許請求の範囲】
【請求項１】
前面に開口を備えたグリル庫と、
前記グリル庫の前記開口を開閉するグリル扉であって、光を透過させる材料からなる透光窓を備え、前記透光窓を経て前記グリル庫の内部を視認できるように構成されたグリル扉と
を備えたグリルであって、
（ａ）前記グリル庫内に照射すべき光を発生させる発光部と、前記発光部で発生させた光を前記グリル庫内に導くための導光体とを具備し、
（ｂ）前記導光体は、前記グリル庫の奥行き方向と略直交する端面であって前記導光体に光が入射する入射面と、
前記入射面から入射した光を前記奥行き方向と略直交する所定方向に反射させる第１反射面と、
前記第１反射面で前記所定方向に反射させた光を、前記奥行き方向の奥側に向かって反射させる第２反射面と、
前記第２反射面で前記奥行き方向の奥側に向かって反射させた光を、前記グリル庫に向かって出射する出射面とを備え、
（ｃ）前記発光部は、前記グリル扉の外側の所定の位置に、前記発光部で発生した光が、前記グリル庫の前記奥行き方向と略直交する方向から前記導光体の前記入射面に入射する態様で配設されており、
（ｄ）前記導光体が、前記入射面から入射した光を、前記第１反射面および前記第２反射面で反射させ、前記出射面から前記グリル庫に向かって出射させることにより、前記グリル庫の内部が、前記出射面から出射した光により照射されるように構成されていること
を特徴とするグリル。
【請求項２】
前記出射面が、前記奥行き方向に直交するように配設されていることを特徴とする請求項１記載のグリル。
【請求項３】
前記導光体が合成樹脂からなり、
前記グリル扉には、前記導光体の前記出射面から出射される光を前記グリル庫内に向けて通過させる光通過孔が配設され、
前記光通過孔には、前記導光体の前記出射面から出射される光を前記グリル庫内に向けて透過させ、かつ、前記グリル庫内の熱気が前記光通過孔から外部に溢出することを阻止する、シリコーンゴムまたはフッ素ゴムからなるシール部材が配設されていること
を特徴とする請求項１または２記載のグリル。
【請求項４】
請求項１〜３のいずれかに記載のグリルと、コンロとが、コンロ本体部に装着されたグリル付きコンロであって、
前記グリル庫が備える前記開口の左右両側のうちの一方側に配設された、前記グリルに対する調理設定に係る操作を行うためのグリル用設定操作部であって、前記奥行き方向に直交する水平方向を回動軸方向として前後に回動することで開閉が行われるように構成された開閉式のグリル用設定操作部と、
前記開口の左右両側の他方側に配設された、前記コンロに対する調理設定に係る操作を行うためのコンロ用設定操作部であって、前記奥行き方向に直交する水平方向を回動軸方向として前後に回動することで開閉が行われるように構成された開閉式のコンロ用設定操作部と、
前記グリル用設定操作部の、前記開口に近い側に配設されたグリル用設定操作部用側壁と、
前記コンロ用設定操作部の、前記開口に近い側に配設されたコンロ用設定操作部用側壁と
を備えているとともに、
前記発光部として、前記グリル用設定操作部用側壁に隣接して前記グリル用設定操作部側に設けられた第１発光部と、前記コンロ用設定操作部用側壁に隣接して前記コンロ用設定操作部側に設けられた第２発光部とを備え、
前記導光体として、前記第１発光部からの光を前記グリル庫に導くための第１導光体と、前記第２発光部からの光を前記グリル庫に導くための第２導光体とを備え、
前記グリル用設定操作部用側壁は、前記第１発光部からの光が通過する側壁第１光通過孔を備え、
前記コンロ用設定操作部用側壁は、前記第２発光部からの光が通過する側壁第２光通過孔を備え、
前記側壁第１光通過孔が、前記グリル用設定操作部が開いた開き状態、前記グリル用設定操作部が閉じた閉じ状態、および、前記開き状態から前記閉じ状態にいたるまでの中間状態のいずれの状態においても、前記第１発光部からの光を前記第１導光体の前記入射面に向かって通過させ、
前記側壁第２光通過孔が、前記コンロ用設定操作部が開いた開き状態、前記コンロ用設定操作部が閉じた閉じ状態、および、前記開き状態から前記閉じ状態にいたるまでの中間状態のいずれの状態においても、前記第２発光部からの光を前記第２導光体の前記入射面に向かって通過させるように構成されていること
を特徴とするグリル付きコンロ。
【発明の詳細な説明】
【技術分野】
【０００１】
本発明は、グリルおよびグリル付きコンロに関し、詳しくは、グリル扉に窓を設けてグリル庫内部を視認できるように構成されたグリルおよび該グリルを備えたコンロに関する。
【背景技術】
【０００２】
グリルの中には、グリル扉に窓を設け、グリル庫の内部を視認して被調理物の調理状態などを確認することができるように構成されたグリルが広く用いられている。そして、そのようなガスグリルの１つに、特許文献１に記載されているようなグリル（ガスグリル）がある。
【０００３】
すなわち、特許文献１には、前面パネルの後方に配設され、閉止状態のグリル扉の存在側に向けて光を照射する発光体と、発光体から照射された光を把持部に導く導光部と、把持部に配設され、導光部によって導かれた光を窓の存在する後方に向けて偏向する偏向部を備え、発光体からの光が、把持部に配設された偏向部から窓の存在する後方に向けて照射され、窓を透過してグリル庫内に照射されるように構成されたグリル（ガスグリル）が記載されている。
【０００４】
この特許文献１のグリル（ガスグリル）の場合、 グリル庫内を確実に照明して、被調理物の調理状態の確認などを容易に行うことが可能で、しかも、発光部および偏向部の耐熱性に関する問題の発生抑制することができる点で、有意義である。
【先行技術文献】
【特許文献】
【０００５】
【特許文献１】特開２０１７−１９６０１８号公報
【発明の概要】
【発明が解決しようとする課題】
【０００６】
ところで、上述の特許文献１に記載のグリルにおいては、発光体からの光が、把持部に配設された偏向部から窓の存在する後方に向けて照射され、窓を透過してグリル庫内に照射されるように構成されており、窓にはガラス（耐熱ガラス）が配設されている。
【０００７】
したがって、偏向部から窓の存在する後方に向けて照射された光が、ガラス（耐熱ガラス）が配設された窓を透過してグリル庫内に照射される際に、光がガラスの表面で反射する（すなわち、ガラスの表面に対して垂直に入射する光は反射しにくいが、垂直の方向に対して角度を持って斜めに入射した光は、垂直に入射する光に比べて、高い割合で反射する）ことになる。
【０００８】
その結果、偏向部からガラスの配設された窓の存在する後方に向けて照射された光のうち、窓に嵌め込まれたガラスの表面で反射せず、ガラスを通過した光だけがグリル庫内に照射されることになり、グリル庫内を十分に照明できない場合が生じることが考えられる。
【０００９】
本発明は、上記の課題を解決するものであり、光を十分にグリル庫内に照射して、グリル庫内の状態を確実に視認することが可能なグリルおよびグリル付きコンロを提供することを目的とする。
【課題を解決するための手段】
【００１０】
上記の目的を達成するために、本発明のグリルは、
前面に開口を備えたグリル庫と、
前記グリル庫の前記開口を開閉するグリル扉であって、光を透過させる材料からなる透光窓を備え、前記透光窓を経て前記グリル庫の内部を視認できるように構成されたグリル扉と
を備えたグリルであって、
（ａ）前記グリル庫内に照射すべき光を発生させる発光部と、前記発光部で発生させた光を前記グリル庫内に導くための導光体とを具備し、
（ｂ）前記導光体は、前記グリル庫の奥行き方向と略直交する端面であって前記導光体に光が入射する入射面と、
前記入射面から入射した光を前記奥行き方向と略直交する所定方向に反射させる第１反射面と、
前記第１反射面で前記所定方向に反射させた光を、前記奥行き方向の奥側に向かって反射させる第２反射面と、
前記第２反射面で前記奥行き方向の奥側に向かって反射させた光を、前記グリル庫に向かって出射する出射面とを備え、
（ｃ）前記発光部は、前記グリル扉の外側の所定の位置に、前記発光部で発生した光が、前記グリル庫の前記奥行き方向と略直交する方向から前記導光体の前記入射面に入射する態様で配設されており、
（ｄ）前記導光体が、前記入射面から入射した光を、前記第１反射面および前記第２反射面で反射させ、前記出射面から前記グリル庫に向かって出射させることにより、前記グリル庫の内部が、前記出射面から出射した光により照射されるように構成されていること
を特徴としている。
【００１１】
本発明のグリルにおいては、前記出射面が、前記奥行き方向に直交するように配設されていることが好ましい。
【００１２】
また、前記導光体が合成樹脂からなり、
前記グリル扉には、前記導光体の前記出射面から出射される光を前記グリル庫内に向けて通過させる光通過孔が配設され、
前記光通過孔には、前記導光体の前記出射面から出射される光を前記グリル庫内に向けて透過させ、かつ、前記グリル庫内の熱気が前記光通過孔から外部に溢出することを阻止する、シリコーンゴムまたはフッ素ゴムからなるシール部材が配設されていること
が好ましい。
【００１３】
また、本発明のグリル付きコンロは、本発明にかかるグリルと、コンロとが、コンロ本体部に装着されたグリル付きコンロであって、
前記グリル庫が備える前記開口の左右両側のうちの一方側に配設された、前記グリルに対する調理設定に係る操作を行うためのグリル用設定操作部であって、前記奥行き方向に直交する水平方向を回動軸方向として前後に回動することで開閉が行われるように構成された開閉式のグリル用設定操作部と、
前記開口の左右両側の他方側に配設された、前記コンロに対する調理設定に係る操作を行うためのコンロ用設定操作部であって、前記奥行き方向に直交する水平方向を回動軸方向として前後に回動することで開閉が行われるように構成された開閉式のコンロ用設定操作部と、
前記グリル用設定操作部の、前記開口に近い側に配設されたグリル用設定操作部用側壁と、
前記コンロ用設定操作部の、前記開口に近い側に配設されたコンロ用設定操作部用側壁と
を備えているとともに、
前記発光部として、前記グリル用設定操作部用側壁に隣接して前記グリル用設定操作部側に設けられた第１発光部と、前記コンロ用設定操作部用側壁に隣接して前記コンロ用設定操作部側に設けられた第２発光部とを備え、
前記導光体として、前記第１発光部からの光を前記グリル庫に導くための第１導光体と、前記第２発光部からの光を前記グリル庫に導くための第２導光体とを備え、
前記グリル用設定操作部用側壁は、前記第１発光部からの光が通過する側壁第１光通過孔を備え、
前記コンロ用設定操作部用側壁は、前記第２発光部からの光が通過する側壁第２光通過孔を備え、
前記側壁第１光通過孔が、前記グリル用設定操作部が開いた開き状態、前記グリル用設定操作部が閉じた閉じ状態、および、前記開き状態から前記閉じ状態にいたるまでの中間状態のいずれの状態においても、前記第１発光部からの光を前記第１導光体の前記入射面に向かって通過させ、
前記側壁第２光通過孔が、前記コンロ用設定操作部が開いた開き状態、前記コンロ用設定操作部が閉じた閉じ状態、および、前記開き状態から前記閉じ状態にいたるまでの中間状態のいずれの状態においても、前記第２発光部からの光を前記第２導光体の前記入射面に向かって通過させるように構成されていること
を特徴としている。
【発明の効果】
【００１４】
本発明のグリルは、上述のように構成されており、発光部で発生させた光を、導光体の入射面から導光体内に入射させ、第１反射面および第２反射面で光を所定の方向に反射させた後、出射面からグリル庫に向かって出射させるようにしているので、グリル庫の内部を、導光体を経て出射された光により十分に照射することが可能になる。その結果、グリル庫内の状態を透光窓を通して十分に視認することが可能なグリルを提供することができる。
【００１５】
また、出射面が、グリル庫の奥行き方向に直交するように配設されている場合には、導光体を通過した光が意図しない方向に出射されてしまうことを抑制して、光を効率よく、確実にグリル庫内に向けて出射させることが可能になり、本発明をより実効あらしめることができる。
【００１６】
また、導光体が合成樹脂からなり、グリル扉には、導光体の出射面から出射される光をグリル庫内に向けて通過させる光通過孔が配設され、光通過孔には、導光体の出射面から出射される光をグリル庫内に向けて透過させ、かつ、グリル庫内の熱気が光通過孔から外部に溢出することを阻止する、シリコーンゴムまたはフッ素ゴムを用いて形成したシール部材が配設された構成とすることにより、導光体が、十分に耐熱温度が高くない合成樹脂などの材料を用いて構成されている場合であっても、グリル庫内の熱気が光通過孔から、導光体の出射面が存在する方向（すなわち前方）に溢出することを、上記シール部材によって阻止することができるので、導光体の耐熱性に関する問題が生じることを抑制、防止することができる。
【００１７】
なお、上述のシリコーンゴムやフッ素ゴムは、耐熱性に優れているとともに、必要な光を透過させることが可能な透明あるいは半透明の材料であることから、本発明におけるシール部材として好適に用いることができる。
【００１８】
また、本発明のグリル付きコンロは、本発明にかかるグリルと、コンロとが、コンロ本体部に装着されたグリル付きコンロであって、上述のような構成を備えているので、グリル用設定操作部の開き状態、閉じ状態、および、開き状態から閉じ状態にいたるまでの中間状態のいずれの状態においても、また、コンロ用設定操作部の開き状態、閉じ状態、および、開き状態から閉じ状態にいたるまでの中間状態のいずれの状態においても、第１発光部、第２発光部からの光を、第１導光体，第２導光体の出射面からグリル庫内に向けて出射させてグリル庫の内部を十分に照射することが可能になる。その結果、グリル庫内の状態を十分に視認することが可能なグリル付きコンロを提供することができるようになる。
【図面の簡単な説明】
【００１９】
【図１Ａ】本発明の実施形態にかかるグリルを備えたコンロ（グリル付きコンロ）を示す平面図である。
【図１Ｂ】本発明の実施形態にかかるグリルを備えたコンロ（グリル付きコンロ）を示す正面図である。
【図１Ｃ】本発明の実施形態にかかるグリルを備えたコンロ（グリル付きコンロ）を示す側面図である。
【図２】本発明の実施形態にかかるグリルが備えるグリル扉の斜視図である。
【図３】本発明の実施形態にかかるグリルが備えるグリル扉を示す図であって、（ａ）は側断面図、（ｂ）は背面図である。
【図４】本発明の実施形態にかかるグリルが備えるグリル扉の分解斜視図である。
【図５】本発明の実施形態にかかるグリルが備える第１導光体（右導光体）を示す図であって、（ａ）は背面図、（ｂ）は側面図である。
【図６】本発明の実施形態にかかるグリルが備える第２導光体（左導光体）を示す図であって、（ａ）は背面図、（ｂ）は側面図である。
【図７】本発明の実施形態にかかるグリルが備えるシール部材を示す図であって、（ａ）は正面図、（ｂ）は底面図、（ｃ）は（ｂ）のVIIｃ−VIIｃ線断面図である。
【図８】本発明の実施形態にかかるガスグリルを備えたグリル付きコンロの、グリル用設定操作部の斜視図である。
【図９】本発明の実施形態にかかるガスグリルを備えたグリル付きコンロの、グリル用設定操作部の閉じ状態における切り欠き側面図である。
【図１０】本発明の実施形態にかかるガスグリルを備えたグリル付きコンロの、グリル用設定操作部の中間状態における切り欠き側面図である。
【図１１】本発明の実施形態にかかるガスグリルを備えたグリル付きコンロの、グリル用設定操作部の開き状態における切り欠き側面図である。
【発明を実施するための形態】
【００２０】
以下、本発明の実施形態を示して、その特徴とするところをさらに詳しく説明する。
なお、本実施形態では、ガスを熱源とするガスグリルとガスコンロとを備えたグリル付きコンロを例にとって説明する。
【００２１】
＜グリル付きコンロの全体構成＞
本実施形態にかかるグリル付きコンロＡは、キッチンカウンタに形成したコンロ装着口に上方から挿入して組み付ける、いわゆるビルトインタイプのガスコンロであり、コンロ本体Ｈの上部の周縁部には、キッチンカウンタに載置される鍔部Ｈ１が形成されている（図１Ｂ、図１Ｃ参照）。
【００２２】
そして、本実施形態にかかるグリル付きコンロＡは、図１Ａ、図１Ｂ、図１Ｃに示すように、コンロ本体Ｈの上面部の前方側の左右にコンロバーナ１０（１０ａ、１０ｂ）を備えるとともに、中央の後方にコンロバーナ１０（１０ｃ）を備えている。
【００２３】
また、グリル付きコンロＡは、コンロ本体Ｈの内部にグリルＧを備えており、グリルＧは前面に開口Ｇ３を有するグリル庫Ｇ１とともに、開口Ｇ３を開閉するグリル扉Ｇ２を備えている。グリル扉Ｇ２は、グリル付きコンロＡの使用者がグリルＧの内部を視認するための透光窓Ｇ２１を備えている（図１Ｂ、図２、図３、図４）。
【００２４】
また、コンロ本体Ｈの上部には、ガラス製の天板１１が配設され、天板１１の後方側（奥側）箇所には、グリルＧの調理排気を排出するためのグリル排気口１２（図１Ａ）が形成されている。
【００２５】
また、天板１１の上部には、コンロバーナ１０により加熱される鍋などの被加熱物を載置するための五徳１３が、左右および後方の各コンロバーナ１０（１０ａ、１０ｂ、１０ｃ）のそれぞれに対応して設けられている（図１Ａ、図１Ｂ、図１Ｃ）。
【００２６】
さらに、各コンロバーナ１０（１０ａ、１０ｂ、１０ｃ）の中央部には、図１Ａ、図１Ｂ、図１Ｃに示すように、鍋などの被加熱物の存在および被加熱物の底壁温度を検出するコンロバーナセンサ１４が設けられている。
【００２７】
また、コンロ本体Ｈの上面に配設された天板１１の手前側箇所には、左右および後方の各コンロバーナ１０（１０ａ、１０ｂ、１０ｃ）のそれぞれの点消火や火力調整を手動で行うためのコンロ用操作具２０（図１Ａ）が設けられている。
【００２８】
さらに、コンロ本体Ｈの前面部の右側箇所には、グリルＧに対するグリル用設定操作部（調理設定操作部）２１が、下方側を支軸（回動軸）Ｓとする前後揺動により開閉することが可能な態様で（すなわち、グリル庫奥行き方向に直交する水平方向を回動軸方向として前後に回動させることが可能な態様で）設けられている。なお、図１Ａ、図１Ｂ、図１Ｃは、グリル用設定操作部２１が閉じた状態を示している。
【００２９】
また、コンロ本体Ｈの前面部の左側箇所には、左右および後方の各コンロバーナ１０（１０ａ、１０ｂ、１０ｃ）に対するコンロ用設定操作部（調理設定操作部）２２が、下方側を支軸（図示せず）とした前後揺動により開閉することができる（すなわち、グリル庫奥行き方向に直交する水平方向を回動軸方向として前後に回動させることができる）ように設けられている。なお、図１Ａ、図１Ｂ、図１Ｃは、コンロ用設定操作部２２が閉じた状態を示している。
【００３０】
＜特徴的構成＞
本実施形態にかかるグリル付きコンロＡを構成するグリルＧは、上述のように、前面に開口Ｇ３を備えたグリル庫Ｇ１と、グリル庫Ｇ１の開口Ｇ３を開閉するグリル扉Ｇ２とを備えている（図１Ａ、図１Ｂ、図１Ｃ、図４参照）。
【００３１】
また、本実施形態にかかるグリル付きコンロＡは、グリル庫Ｇ１内に照射すべき光を発生させる発光部３０と、発光部３０で発生した光を所定の経路を経てグリル庫Ｇ１内に導く導光体４０を備えている（図３，図４、図５、図６）。
【００３２】
そして、本実施形態にかかるグリル付きコンロＡは、発光部３０として、第１発光部３０ａと第２発光部３０ｂとを備えている。
なお、発光部３０（３０ａ、３０ｂ）としては、例えばＬＥＤが用いられている。
【００３３】
また、本実施形態にかかるグリル付きコンロＡは、上述の導光体４０として、第１発光部３０ａからの光をグリル庫Ｇ１に導くための第１導光体４０ａと、第２発光部３０ｂからの光をグリル庫Ｇ１に導くための第２導光体４０ｂとを備えている。
【００３４】
導光体４０（４０ａ、４０ｂ）は、例えばアクリル樹脂などの合成樹脂から形成されている。
【００３５】
図５に示すように、第１導光体４０ａは、グリル庫Ｇ１の奥行き方向（すなわち、図１Ｃ、図３（ａ）、図４において矢印Ｙで示す方向）と略直交する端面であって第１導光体４０ａに、第１発光部３０ａからの光が入射する入射面１４１ａと、入射面１４１ａから入射した光を奥行き方向（Ｙ方向）と略直交する所定方向に反射させる第１反射面１４２ａと、第１反射面１４２ａで所定方向に反射させた光を、上記前記奥行き方向（Ｙ方向）における奥側に向かって反射させる第２反射面１４３ａと、第２反射面１４３ａで奥行き方向（Ｙ方向）の奥側に向かって反射させた光を、グリル庫Ｇ１に向かって出射する出射面１４４ａを備えている。
【００３６】
また、図６に示すように、第２導光体４０ｂは、グリル庫Ｇ１の奥行き方向（図１Ｃ、図３（ａ）、図４において矢印Ｙで示す方向）と略直交する端面であって第２導光体４０ｂに、第２発光部３０ｂからの光が入射する入射面１４１ｂと、入射面１４１ｂから入射した光を奥行き方向（Ｙ方向）と略直交する所定方向に反射させる第１反射面１４２ｂと、第１反射面１４２ｂで所定方向に反射させた光を、上記奥行き方向（Ｙ方向）における奥側に向かって反射させる第２反射面１４３ｂと、第２反射面１４３ｂで奥行き方向（Ｙ方向）の奥側に向かって反射させた光を、グリル庫Ｇ１に向かって出射する出射面１４４ｂを備えている。
【００３７】
第１導光体４０ａおよび第２導光体４０ｂは、グリル扉Ｇ２の内部の、グリル庫Ｇ１の開口Ｇ３の左右両側に、互いに左右対称の関係になるように配設されている（図３、図４参照）。
【００３８】
なお、第１導光体４０ａの出射面１４４ａおよび第２導光体４０ｂの出射面１４４ｂは、グリル庫Ｇ１の奥行き方向（Ｙ方向）と直交する（グリル庫Ｇ１の開口Ｇ３と正対する）ように構成されており、出射面１４４ａおよび１４４ｂから出射された光が、効率よくグリル庫Ｇ１の奥行き方向（Ｙ方向）の奥側に照射されるように構成されている。
【００３９】
また、グリル扉Ｇ２には、第１導光体４０ａの出射面１４４ａから出射した光を通過させる第１光通過孔Ｇ２ａと、第２導光体４０ｂの出射面１４４ｂから出射した光を通過させる第２光通過孔Ｇ２ｂが形成されている。
【００４０】
なお、図４に示すように、第１導光体４０ａ、第２導光体４０ｂは、グリル扉Ｇ２の内部に収容されており、第１光通過孔Ｇ２ａと、第２光通過孔Ｇ２ｂは、グリル扉Ｇ２の後壁に形成されている。
【００４１】
また、本実施形態においては、上述のように、第１導光体４０ａと、第２導光体４０ｂが合成樹脂（本実施形態ではアクリル樹脂）から形成されており、グリル扉Ｇ２に設けられた第１光通過孔Ｇ２ａと第２光通過孔Ｇ２ｂには、第１導光体４０ａおよび第２導光体４０ｂの出射面１４４ａ、１４４ｂから出射される光をグリル庫Ｇ１内に向けて透過させ、かつ、グリル庫Ｇ１内の熱気が第１光通過孔Ｇ２ａ、第２光通過孔Ｇ２ｂから外部に溢出することを阻止するシール部材５０（図４参照）が配設されている。
【００４２】
なお、シール部材５０としては、例えば、シリコーンゴム、フッ素ゴムなどの耐熱性に優れ、かつ、光を透過させる透光性を備えた材料を好適に用いることができる。
【００４３】
シール部材５０は、図７に示すように、第１導光体４０ａ、第２導光体４０ｂの、出射面１４４ａ、１４４ｂ（図５、図６）が形成された先端部が挿入される凹部５０ａと、グリル扉Ｇ２の後面に配設された第１光通過孔Ｇ２ａ、第２光通過孔Ｇ２ｂに挿入される凸部５０ｂを備えた構成とされている。
【００４４】
そして、第１導光体４０ａ、第２導光体４０ｂの、出射面１４４ａ、１４４ｂ（図５、図６）が形成された先端部が、シール部材５０の凹部５０ａに挿入され、かつ、シール部材５０の凸部５０ｂが、グリル扉Ｇ２の後面に配設された第１光通過孔Ｇ２ａ、第２光通過孔Ｇ２ｂに挿入されることにより、シール部材５０は、第１導光体４０ａ、第２導光体４０ｂと、第１光通過孔Ｇ２ａ、第２光通過孔Ｇ２ｂとの隙間をシールする態様で、第１光通過孔Ｇ２ａ、第２光通過孔Ｇ２ｂに確実に保持されるように構成されている。
【００４５】
本実施形態にかかるグリル付きガスコンロが備えるグリルＧは上述のように構成されており、第１発光部３０ａおよび第２発光部３０ｂで発生させた光が、第１導光体４０ａおよび第２導光体４０ｂを介してグリル庫Ｇ１内に向けて出射されるため、グリル庫Ｇ１の内部を、確実に照射することが可能になる。
【００４６】
その結果、使用者が、グリル庫Ｇ１内のグリル調理の状態などを、透光窓Ｇ２１を通して十分に視認することが可能なグリルを提供することが可能になる。
【００４７】
また、出射面１４４ａ、１４４ｂが、グリル庫Ｇ１の奥行き方向（Ｙ方向）と直交する（グリル庫Ｇ１の開口Ｇ３と正対する）ように構成されているため、出射面１４４ａ、１４４ｂから出射された光を、効率よく、確実にグリル庫Ｇ１の奥行き方向（Ｙ方向）の奥側に照射することが可能で、よりグリル庫Ｇ１内の視認性に優れたグリル（ガスグリル）Ｇを実現することができる。
【００４８】
さらに、本実施形態にかかるグリル付きガスコンロにおいては、第１光通過孔Ｇ２ａと第２光通過孔Ｇ２ｂにシリコーンゴムやフッ素ゴムからなるシール部材５０を配設するようにしているので、第１導光体４０ａの出射面１４４ａ、第２導光体４０ｂの出射面１４４ｂが、グリル庫Ｇ１の熱気に曝されることを阻止することができる。したがって、アクリル樹脂で形成された第１導光体４０ａ、第２導光体４０ｂが、グリル庫Ｇ１の熱気に直接曝されて、熱的に劣化することを抑制、防止することができる。
【００４９】
なお、上記実施形態では、第１導光体４０ａ、第２導光体４０ｂがアクリル樹脂から構成されている場合について説明したが、第１導光体４０ａおよび第２導光体４０ｂの構成材料としては、透光性を有する他の樹脂を用いることも可能である。
【００５０】
また、場合によっては、第１導光体４０ａ、第２導光体４０ｂの構成材料としてガラスを用いることもできる。その場合、ガラスは耐熱性に優れているので、グリル庫内の熱気から導光体を保護するためにシール部材を配設することは不要になる。  
【００５１】
＜グリル付きコンロに特有の構成について＞
本実施形態にかかるグリル付きコンロＡは、上述のように、グリル（ガスグリル）Ｇをガスコンロとが組み合わされることにより構成されている。
【００５２】
ここでは、上記の説明と一部重複するが、本実施形態にかかるグリル付きコンロＡとしての特徴的な構成をまとめて説明する。
【００５３】
本実施形態にかかるグリル付きコンロＡにおいては、上述のように、グリル庫１Ｇの前面の開口Ｇ３の右側に隣接して、グリル用設定操作部（調理設定操作部）２１が配設され、開口Ｇ３の左側に隣接してコンロ用設定操作部（調理設定操作部）２２が配設されている（図１Ｂ参照）。
【００５４】
そして、グリル用設定操作部（調理設定操作部）２１とコンロ用設定操作部（調理設定操作部）２２とは、それぞれの下方側の支軸Ｓを回動軸とした前後揺動により開閉することができる（すなわち、グリル庫Ｇ１の奥行き方向（Ｙ方向）に直交する水平方向を回動軸方向として前後に回動させることができる）ように設けられている（図１Ｂ、図８〜図１１参照）。
【００５５】
具体的には、グリル用設定操作部２１は、グリル用設定操作部開閉体３１ａに装備されており（図１Ｂ、図８参照）、コンロ用設定操作部２２は、コンロ用設定操作部開閉体３１ｂに装備されており（図１Ｂ参照）、グリル用設定操作部開閉体３１ａとコンロ用設定操作部開閉体３１ｂとが、支軸Ｓを回動軸とした前後揺動により開閉されるように構成されている（図１Ｂ、図８〜図１１参照）。
【００５６】
すなわち、グリル用設定操作部開閉体３１ａは、図８〜図１１に示すように、支軸Ｓに枢支されており、コンロ本体Ｈにグリル用設定操作部２１が収納された状態であるグリル用設定操作部２１の閉じ状態、および、コンロ本体Ｈの前方にグリル用設定操作部２１が突出した状態であるグリル用設定操作部２１の開き状態の間で回動させることが可能で、かつ、グリル用設定操作部２１の閉じ状態と開き状態との中間の状態である中間状態となるように回動させることができるように構成されている。
【００５７】
また、コンロ用設定操作部開閉体３１ｂ（図１Ｂ参照）も、特に図示しないが、グリル用設定操作部開閉体３１ａと同様に、支軸（図示せず）に枢支されており、コンロ本体Ｈにコンロ用設定操作部２２が収納された状態である閉じ状態、および、コンロ本体Ｈの前方にコンロ用設定操作部２２が突出した状態である開き状態、および、コンロ用設定操作部２２の閉じ状態と開き状態との中間の状態である中間状態となるように回動させることができるように構成されている。
【００５８】
なお、グリル用設定操作部開閉体３１ａとコンロ用設定操作部開閉体３１ｂとは、互いに回転対称の関係になるように構成されており、コンロ用設定操作部２２が装備されたコンロ用設定操作部開閉体３１ｂの構成および動作は、グリル用設定操作部２１が装備されたグリル用設定操作部開閉体３１ａの構成および動作に準じるものであることから、ここでは図示を省略している。
【００５９】
また、グリル用設定操作部２１は、グリル庫Ｇ１に近い側にグリル用設定操作部用側壁２１ａ（図１Ｂ、図８〜図１１）を備え、コンロ用設定操作部２２は、グリル庫Ｇ１に近い側にコンロ用設定操作部用側壁２２ａ（図１Ｂ）を備えている。
【００６０】
そして、グリル用設定操作部用側壁２１ａに隣接してグリル用設定操作部２１側に第１発光部３０ａが配設されており、コンロ用設定操作部用側壁２２ａに隣接してコンロ用設定操作部２２側に第２発光部３０ｂが配設されている。
【００６１】
この第１発光部３０ａおよび第２発光部３０ｂは、グリル扉Ｇ２の外部であって、開口Ｇ３の左右両側の位置に配設されている（図１Ｂ、図３、図４など参照）。なお、図１Ｂにおいては、第１発光部３０ａおよび第２発光部３０ｂの配設位置をハッチングにて示している。
【００６２】
また、グリル用設定操作部用側壁２１ａには、第１発光部３０ａからの光が通過する側壁第１光通過孔２１ｂが形成され、コンロ用設定操作部用側壁２２ａには、第２発光部３０ｂからの光が通過する側壁第２光通過孔（図示せず）が形成されている。
【００６３】
そして、側壁第１光通過孔２１ｂは、グリル用設定操作部２１が開いた開き状態、グリル用設定操作部２１が閉じた閉じ状態、および、開き状態から閉じ状態にいたるまでの中間状態のいずれの状態においても第１発光部３０ａからの光を通過させるように構成されている（図８〜図１１参照）。
【００６４】
また、側壁第２光通過孔（図示せず）も、コンロ用設定操作部２２が開いた開き状態、コンロ用設定操作部２２が閉じた閉じ状態、および、開き状態から閉じ状態にいたるまでの中間状態のいずれの状態においても第２発光部３０ｂからの光を通過させるように構成されている。
【００６５】
本実施形態にかかるグリル付きコンロＡは、このように構成されており、グリル用設定操作部２１の開き状態、閉じ状態、および、開き状態と閉じ状態との間の中間状態のいずれにおいても、また、コンロ用設定操作部２２の開き状態、閉じ状態、および、開き状態と閉じ状態との間の中間状態のいずれにおいても、グリル扉Ｇ２に設けた導光体（第１導光体４０ａ、第２導光体４０ｂ）を介して、グリル扉Ｇ２の後方（グリル庫Ｇ１の奥側）に向けて光を出射させ、グリル庫Ｇ１内の照明を適切に行うことができる。
【００６６】
上記の実施形態では、グリル付きガスコンロとして、ガスグリル付きのガスコンロを例に挙げて説明したが、本発明は、電気グリルと電気コンロを組み合わせた電気グリル付きの電気コンロとして構成することも可能である。
【００６７】
また、本発明は、グリル付きコンロに限られるものではなく、ガスグリルや電気グリルなどのグリル単能機にも適用することが可能である。
【００６８】
また、上記実施形態では、第１発光部３０ａと、第２発光部３０ｂの２つの発光部を備えるとともに、第１導光体４０ａ、第２導光体４０ｂの２つの導光体を備えている場合（すなわち、発光部と導光体の対を２つ備えている場合）を例にとって説明したが、発光部および導光体の対数は１であってもよく、場合によっては３以上であってもよい。
【００６９】
本発明は、さらにその他の点においても上記実施形態や変形例に限定されるものではなく、発明の範囲内において、種々の変形を加えることが可能である。
【符号の説明】
【００７０】
１０（１０ａ、１０ｂ、１０ｃ）    コンロバーナ
１１      天板
１２      グリル排気口
１３      五徳
１４      コンロバーナセンサ
２０      コンロ用操作具
２１      グリル用設定操作部（調理設定操作部）
２１ａ    グリル用設定操作部用側壁
２１ｂ    側壁第１光通過孔
２２      コンロ用設定操作部（調理設定操作部）
２２ａ    コンロ用設定操作部用側壁
３０      発光部
３０ａ    第１発光部
３０ｂ    第２発光部
３１ａ    グリル用設定操作部開閉体
３１ｂ    コンロ用設定操作部開閉体
４０      導光体
４０ａ    第１導光体
４０ｂ    第２導光体
５０      シール部材
５０ａ    シール部材の凹部
５０ｂ    シール部材の凸部
１４１ａ  第１導光体の入射面
１４２ａ  第１導光体の第１反射面
１４３ａ  第１導光体の第２反射面
１４４ａ  第１導光体の出射面
１４１ｂ  第２導光体の入射面
１４２ｂ  第２導光体の第１反射面
１４３ｂ  第２導光体の第２反射面
１４４ｂ  第２導光体の出射面
Ａ        コンロ（グリル付きコンロ）
Ｇ        グリル
Ｇ１      グリル庫
Ｇ２      グリル扉
Ｇ３      開口
Ｇ２ａ    第１光通過孔
Ｇ２ｂ    第２光通過孔
Ｇ２１    透光窓
Ｈ        コンロ本体
Ｈ１      鍔部
Ｙ        グリル庫の奥行き方向（を示す矢印）
【図１Ａ】
2020030017.tif 000003
【図１Ｂ】
2020030017.tif 000004
【図１Ｃ】
2020030017.tif 000005
【図２】
2020030017.tif 000006
【図３】
2020030017.tif 000007
【図４】
2020030017.tif 000008
【図５】
2020030017.tif 000009
【図６】
2020030017.tif 000010
【図７】
2020030017.tif 000011
【図８】
2020030017.tif 000012
【図９】
2020030017.tif 000013
【図１０】
2020030017.tif 000014
【図１１】
2020030017.tif 000015